(57)【要約】【課題】  燃焼部の外周にあるカバーの外面の過熱を防止することを課題とする。【解決手段】  ストーブ本体１２に設けられた燃焼部を、燃焼機構によって燃焼させると、その外周を囲む内カバー３０が熱せられる。内カバー３０が熱せられると、内カバー３０と外カバー３２との隙間にある空気が暖められる。この隙間は空気の流通が可能となっているため、暖められた空気は上昇し、下方から冷たい空気が流入する。このように、隙間内の空気が循環するため、内カバー３０の熱は、外カバー３２に伝わりにくく、外カバー３２の外面は必要以上に熱くならない。【選択図】  図３
2006038345.tif 000002
【特許請求の範囲】
【請求項１】
燃焼機構を有するストーブ本体と、前記ストーブ本体に設けられ、前記燃焼機構によって燃焼する燃焼部と、を有するストーブにおいて、
前記燃焼部の外周を囲む内カバーと、
前記内カバーと隙間をおいて前記内カバーの外周を囲み、前記隙間を空気が流通可能とする１又は複数の外カバーと、
を備えたことを特徴とするストーブ。
【請求項２】
前記内カバー及び前記外カバーは、透明部材であることを特徴とする請求項１に記載のストーブ。
【請求項３】
前記内カバー及び前記外カバーは、円筒形であることを特徴とする請求項１又は請求項２に記載のストーブ。
【請求項４】
前記ストーブ本体の上部に設けられ、前記内カバー及び前記外カバーの下部を保持する環状の下部保持部材と、
前記ストーブ本体から立設された支柱に支持されると共に前記燃焼部をカバーする上方カバーの下部に設けられ、前記内カバー及び前記外カバーの上部を保持する環状の上部保持部材と、
前記下部保持部材と前記上部保持部材とを連結する連結シャフトと、
を備えたことを特徴とする請求項１乃至３のいずれか１項に記載のストーブ。
【請求項５】
前記下部保持部材及び前記上部保持部材の内側端部に設けられ、内側へ折り返され、内カバーの半径方向内方への移動を阻止する内フランジと、
前記下部保持部材及び前記上部保持部材の外側端部に設けられ、内側へ折り返され、外カバーの半径方向外方への移動を阻止する外フランジと、
を備えることを特徴とする請求項４に記載のストーブ。
【発明の詳細な説明】
【技術分野】
【０００１】
本発明は、発熱により、空気の対流を起こすことによって、部屋等を暖めるストーブに関する。
【背景技術】
【０００２】
ストーブとしては、その中心部に燃焼部を備え、燃焼部の外周にカバーがされているものがある（特許文献１参照）。燃焼部が燃焼するとカバーは相当な温度に熱せられ、熱せられたカバーの外面に、融解点の低いものが触れると溶けてしまう。また、熱せられたカバーの外面に水滴などが付着すると、カバーが部分的に急激に冷やされ、カバーが破損するおそれがある。
【特許文献１】実開昭５８−１８８５０３号公報
【発明の開示】
【発明が解決しようとする課題】
【０００３】
本発明は、上記事実を考慮し、燃焼部の外周にあるカバーの外面の過熱を防止することができるストーブを提供することを目的とする。
【課題を解決するための手段】
【０００４】
本発明の請求項１に記載のストーブは、燃焼機構を有するストーブ本体と、前記ストーブ本体に設けられ、前記燃焼機構によって燃焼する燃焼部と、を有するストーブにおいて、前記燃焼部の外周を囲む内カバーと、前記内カバーと隙間をおいて前記内カバーの外周を囲み、前記隙間を空気が流通可能とする１又は複数の外カバーと、を備えたことを特徴とする。
【０００５】
請求項１に記載のストーブでは、ストーブ本体に設けられた燃焼部を、燃焼機構によって燃焼させると、その外周を囲む内カバーが熱せられる。内カバーが熱せられると、内カバーと外カバーとの隙間にある空気が暖められる。この隙間は空気の流通が可能となっているため、暖められた空気は上昇し、下方から冷たい空気が流入する。このように、隙間内の空気が循環するため、内カバーの熱は、外カバーに伝わりにくく、外カバーの外面は必要以上に熱くならない。
【０００６】
また、隙間内を循環する空気は、ストーブが使用される部屋等の空気を対流させるため、ストーブが使用される部屋等の暖房を促進できる。
【０００７】
従って、本発明の請求項１に係るストーブによれば、燃焼部の外周にあるカバーの外面の過熱を防止できる。また、燃焼部の外周で暖められる空気により、ストーブが使用される部屋等の暖房を促進することができる。
【０００８】
本発明の請求項２に記載のストーブは、請求項１の構成において、前記内カバー及び前記外カバーは、透明部材であることを特徴とする。
【０００９】
請求項１に記載のストーブにおいて、燃焼部の外周を囲む内カバーと、その内カバーの外周を囲む外カバーとの隙間を流通するのは、無色透明な空気である。
【００１０】
従って、請求項２に記載のストーブのように、内カバー及び外カバーに、透明部材（例えば、ガラス等）を使用すれば、燃焼部の外周のどこからでも、燃焼部を覗けるため、燃焼部の燃焼状況が容易に確認できると共に、ストーブ自体の意匠性にも優れる。
【００１１】
本発明の請求項３に記載のストーブは、請求項１又は請求項２の構成において、前記内カバー及び前記外カバーは、円筒形であることを特徴とする。
【００１２】
請求項３に記載のストーブのように、燃焼部の外周を囲む内カバーを円筒形にすれば、燃焼部から内カバーまでの距離が均一になるので、燃焼部の燃焼による熱が、内カバーの各部位に差が無く、均一に伝わる。燃焼部の燃焼による熱が内カバーに均一に伝われば、内カバーと外カバーの隙間にある各部位の空気も均一に暖められ、暖められた空気の上昇速度も隙間の各部位で均一になるため、外カバーを均一に空冷できる。
【００１３】
また、暖められた空気の上昇速度が隙間の各部位で均一になることで、ストーブが使用される部屋等の空気の対流を均一化でき、ストーブが使用される部屋等を満遍なく暖めることができる。
【００１４】
また、内カバー及び外カバーを円筒形にすることで半径方向からの外圧に対する強度を上げることができるので、内カバー及び外カバーに薄い素材（ガラス等）を使用した場合でも、破損しにくくなる。
【００１５】
本発明の請求項４に記載のストーブは、請求項１乃至３のいずれか１項の構成において、前記ストーブ本体の上部に設けられ、前記内カバー及び前記外カバーの下部を保持する環状の下部保持部材と、前記ストーブ本体から立設された支柱に支持されると共に前記燃焼部をカバーする上方カバーの下部に設けられ、前記内カバー及び前記外カバーの上部を保持する環状の上部保持部材と、前記下部保持部材と前記上部保持部材とを連結する連結シャフトと、を備えたことを特徴とする。
【００１６】
請求項４に記載のストーブでは、内カバー及び外カバーの下部は、ストーブ本体の上部に設けられた環状の下部保持部材に保持されている。また、内カバー及び外カバーの上部側を保持する上部保持部材は、上方カバーに設けられ、その上方カバーは、ストーブ本体に立設した支柱によって支持されている。
【００１７】
このため、内カバー及び外カバーは、上方カバーによる上からの荷重を受けることがなく、内カバー及び外カバーに荷重に弱い素材や薄い素材（ガラス等）を使用した場合でも、内カバー及び外カバーは破損することがない。
【００１８】
また、連結シャフトで上部保持部材と下部保持部材とを連結することで、内カバーと外カバーとをガタなく取付けることができる。
【００１９】
請求項５に記載のストーブでは、請求項４の構成において、前記下部保持部材及び前記上部保持部材の内側端部に設けられ、内側へ折り返され、内カバーの半径方向内方への移動を阻止する内フランジと、前記下部保持部材及び前記上部保持部材の外側端部に設けられ、内側へ折り返され、外カバーの半径方向外方への移動を阻止する外フランジと、を備えることを特徴とする。
【００２０】
請求項５に記載のストーブによれば、内カバーは、内フランジで位置規制され、半径方向内方にずれることがなく、また、外カバーは、外フランジで位置規制され、半径方向外方にずれることがないので、内カバーと外カバーとの隙間は一定に保たれる。このため、内カバーと外カバーとの隙間における空気の流通が確実に確保される。
【発明の効果】
【００２１】
本発明は、上記構成としたので、燃焼部の外周にあるカバーの外面の過熱を防止することができる。
【発明を実施するための最良の形態】
【００２２】
本発明のストーブに係る一の実施の形態を図１〜図５に基づき説明する。
【００２３】
図１〜３に示すように、本発明のストーブ１０は、床面に置かれるストーブ本体１２を備えている。ストーブ本体１２は、下方に延びる四本の脚部１６によって支えられている。また、図３に示すように、ストーブ本体１２は、燃焼機構を構成するドーナツ形状の灯油タンク１８を備えている。
【００２４】
灯油タンク１８の内側には、上方に延びる円筒形状の支柱１４が設けられている。その支柱１４の外側面と灯油タンク１８の内側面との間に、上方に延びる円筒形状の芯材２０が収納されている。灯油タンク１８から芯材２０の下部に通じる送油通路２２が設けられ、送油通路２２によって送られてくる灯油を、芯材２０の下部で吸収すると、毛管現象により、灯油を上方へ吸い上げ、その上端で気化した灯油により、燃焼を可能としている。この上方に延びる芯材２０の中間部分には、ストーブ本体１２の前方に延びる芯調節器２４が接続されている（図１、２参照）。芯調節器２４を回し、芯材２０を上げ下げすることにより、灯油の吸収量を変え、火力調節及び消火を行う。また、燃焼に必要な空気が、ストーブ本体１２の支柱１４の下方開口（図３のＡ方向）から流入するようになっている。
【００２５】
芯材２０の上端部の内周には、図１、３に示すように、内炎筒２６が設けられ、その内炎筒２６は支柱１４に嵌合している。芯材２０の上端部の外周には、外炎筒２８が設けられている。この内炎筒２６と外炎筒２８との間で、芯材２０の上端で気化した灯油が燃焼し、燃焼部を構成している。
【００２６】
この燃焼部の外周を、図１〜３に示すように、上下方向を軸方向にして、両端が開放された円筒形状の内カバー３０が囲んでいる。この内カバー３０は、透明部材としてのガラスで形成されている。
【００２７】
この内カバー３０と隙間をおいて内カバー３０の外周を、上下方向を軸方向にして、両端が開放され、円筒形状をした一の外カバー３２が囲んでいる。すなわち、燃焼部の外周を囲むカバーは、内カバー３０と外カバー３２とで二重構造を形成する。外カバー３２も、内カバー３０と同様に、透明部材としてのガラスで形成されている。このように、内カバー３０及び外カバー３２に、ガラスを使用すれば、燃焼部の外周のどこからでも、燃焼部を覗けるため、燃焼部の燃焼状況が容易に確認できると共に、ストーブ自体の意匠性にも優れる。なお、外カバー３２及び内カバー３０は、透明部材であればよく、必ずしもガラスに限られない。また、外カバー３２は、一つではなく、複数あってもよい。すなわち、燃焼部の外周を囲むカバーは、三重以上の構造となっていても構わない。
【００２８】
この内カバー３０及び外カバー３２の下部側を保持する環状の下部保持部材３５が、ストーブ本体１２に設けられている。下部保持部材３５は、下部保持リング３４と下部保持体３６とから構成されている。
【００２９】
下部保持リング３４は、帯状をしており、この帯面３４Ａに、内カバー３０及び外カバー３２の下端が当接している。また、この帯面３４Ａには、円形状のビス孔３８が等間隔に４箇所設けられ、そのビス孔３８の間隔をうめるように、楕円形状の通気孔４０が全周にわたって設けられている（図４参照）。
【００３０】
また、下部保持リング３４の内側端部には、図２、３に示すように、上方へ折り返された環状の内フランジ４２が設けられている。下部保持リング３４の内フランジ４２は、内カバー３０の内周面に当接して、内カバー３０の下部側の半径方向内方への移動を阻止する。
【００３１】
下部保持体３６は、円筒状の嵌合部６０を備えている。この嵌合部６０は、ストーブ本体１２と嵌合し、固定される。また、嵌合部６０の上部には、下部保持リング３４と同様に、帯状をした下部保持リング３７が設けられており、帯面３７Ａには、円形状のビス孔３８が等間隔に４箇所設けられ、そのビス孔３８の間隔をうめるように、楕円形状の通気孔４０が全周にわたって設けられている（図４参照）。そして、下部保持リング３４の通気孔４０と下部保持リング３７の通気孔４０とが重なるように、下部保持リング３４が下部保持体３６に組み付けられる。この通気孔４０を通じて、内カバー３０と外カバー３２との隙間の下方から、内カバー３０と外カバー３２との隙間内に空気が流入することが可能となる。また、下部保持リング３７の外周部には、図２、３に示すように、上方に折り返す環状の外フランジ４４が設けられている。下部保持リング３７の外フランジ４４は、外カバー３２の外周面に当接し、外カバー３２の下部側の半径方向外方への移動を阻止する。
【００３２】
また、図１、２に示すように、ストーブ本体１２から立設された支柱６２に支持されると共に燃焼部をカバーする上方カバー４８が設けられている。この支柱６２は、ストーブ本体１２の上部から立設し、支柱６２の上端部で上方カバー４８と固定されている。これにより、上方カバー４８の荷重を、この支柱６２で支えるようになっている。上方カバー４８は、上下端が開放された円筒形状の円筒部５０と、その上端を塞ぐ円盤状の蓋部５２から構成されている。蓋部５２の中央部には上方通気孔６４が設けられ、燃焼部の上部で暖められた空気は、この上方通気孔６４及び円筒部５０と蓋部５２の隙間からストーブ外に放出され、ストーブ１０が使用される部屋等が暖められる。
【００３３】
その上方カバー４８の下部には、内カバー３０及び外カバー３２の上部を保持する上部保持部材５３が設けられている。上部保持部材５３は、上部保持リング５４と上部保持体５６とから構成されている。
【００３４】
上部保持リング５４は、帯状をしており、その帯面５４Ａに、内カバー３０及び外カバー３２の上端が当接している。また、この帯面５４Ａには、円形状のビス孔３８が等間隔に４箇所設けられ、そのビス孔３８の間隔をうめるように、楕円形状の通気孔４０が全周にわたって設けられている（図４参照）。
【００３５】
また、上部保持リング５４の内側端部には、図２，３に示すように、下方に折り返された環状の内フランジ４２が設けられている。すなわち、上部保持リング５４の内フランジ４２、上述の下部保持リング３４の内フランジ４２は、内カバー３０がある内側に折り返されている。上部保持リング５４の内フランジ４２は、内カバー３０の内周面に当接して、内カバー３０の上部側の半径方向内方への移動を阻止する。
【００３６】
上部保持体５６は、円形状の嵌合部６８を備えている。嵌合部６８は、上方カバー４８の円筒部５０と嵌合し、ネジ７１で固定される。また、嵌合部６８の下部には、上部保持リング５４と同様に、帯状をした上部保持リング６７が設けられており、帯面６７Ａには、円形状のビス孔３８が等間隔に４箇所設けられ、楕円形状の通気孔４０が全周にわたって設けられている（図４参照）。そして、上部保持リング５４の通気孔４０と上部保持リング６７の通気孔４０が重なるように、上部保持リング５４に上部保持体５６が組み付けられている。この通気孔４０を通じて、内カバー３０と外カバー３２との隙間内から、内カバー３０と外カバー３２との隙間の上方へ空気が流出することが可能となる。すなわち、この上部保持部材５３の通気孔４０と、上述の下部保持部材３５の通気孔４０とを通じて、内カバー３０と外カバー３２との隙間を空気が流通可能となっている。また、上部保持リング６７の外周部には、図２，３に示すように、下方に折り返す環状の外フランジ４４が設けられている。すなわち、上部保持リング６７の外フランジ４４、上述の下部保持リング３７の外フランジ４４は、外カバー３２がある内側に折り返されている。上部保持リング６７の外フランジ４４は、外カバー３２の外周面に当接し、外カバー３２の上部側の半径方向外方への移動を阻止する。このように、外フランジ４４及び上述の内フランジ４２を設けているので、内カバー３０は半径方向内方にずれることがなく、また、外カバー３２は半径方向外方にずれることがなく、内カバー３０と外カバー３２との隙間は一定に保たれ、空気の流通が確実に確保することができる。
【００３７】
上述のように、内カバー３０及び外カバー３２の上部側を保持する上部保持部材５３は、上方カバー４８に設けられ、その上方カバー４８は、ストーブ本体に立設した支柱６２によって支持されているため、内カバー３０及び外カバー３２は、上方カバー４８による上からの荷重を受けることがなく、内カバー３０及び外カバー３２に荷重に弱い素材や薄い素材（ガラス等）を使用した場合でも、内カバー３０及び外カバー３２は破損することがない。
【００３８】
また、上部保持部材５３と下部保持部材３５とを連結する長ネジ５８が４本、設けられている。この長ネジ５８は、図５に示すように、上部保持部材５３と下部保持部材３５とに設けられた上述の４箇所のビス孔３８にそれぞれ嵌合され、下部保持部材３５側に設けられたナット３９でそれぞれネジ止めされている。この連結シャフト５８により、内カバー３０と外カバー３２との隙間で上部保持部材５３と下部保持部材３５とを連結するため、内カバー３０と外カバー３２をガタなく、取付けることができる。
【００３９】
なお、上方カバー４８及び外カバー３２への接触を防ぐために、上方カバー４８及び外カバー３２の外周を囲む柵７０が設けられている。
【００４０】
次に、上記の実施の形態について作用を説明する。
【００４１】
ストーブ本体の中央部の上部に設けられた燃焼部を、灯油タンク１８と芯材２０と送油通路２２と芯調節器２４とで構成される燃焼機構によって燃焼させると、燃焼部の近傍の外周を囲む内カバー３０は相当な温度に熱せられる。その温度は、約４００℃にも達する。内カバー３０が熱せられると、内カバー３０と外カバー３２との隙間にある空気が暖められる。空気は、上部保持部材５３の通気孔４０と下部保持部材３５の通気孔４０とを通じて、内カバー３０と外カバー３２との隙間を流通可能となっているため、暖められた空気は、上部保持部材５３の通気孔４０を通じて上昇し、冷たい空気が、下部保持部材３５の通気孔４０とを通じて下方から内カバー３０と外カバー３２との隙間内に流入する。このように、隙間内の空気が循環するため、内カバー３０の熱は、外カバー３２に伝わりにくく、外カバー３２の外面は必要以上に熱くならない。その温度は約１４０℃であり、内カバー３０に比べてかなり低い温度に保たれる。
【００４２】
また、内カバー３０と外カバー３２との隙間内を循環する空気は、ストーブが使用される部屋等の空気を対流させるため、ストーブが使用される部屋等の暖房を促進できる。
【００４３】
本発明は、上記の実施の形態に限るものではなく、種々の形態が可能である。
【００４４】
例えば、内カバー及び外カバーは、円筒形状に限られるものではなく、三角筒、角筒等であって構わない。また、本発明の効果が奏されるものであれば、ストーブの形式は、どんなものであってもよい。
【図面の簡単な説明】
【００４５】
【図１】図１は、本発明の一の実施形態に係るストーブの斜視図である。
【図２】図２は、本実施形態に係るストーブの分解斜視図である。
【図３】図３は、本実施形態に係るストーブの断面図である。
【図４】図４は、本実施形態に係るストーブの部品平面図である。
【図５】図５は、本実施形態に係るストーブの要部を拡大した断面図である。
【符号の説明】
【００４６】
１０  ストーブ
１２  ストーブ本体
３０  内カバー
３２  外カバー
３５  下部保持部材
４２  内フランジ
４４  外フランジ
５３  上部保持部材
５８  長ネジ（連結シャフト）
【図１】
2006038345.tif 000003
【図２】
2006038345.tif 000004
【図３】
2006038345.tif 000005
【図４】
2006038345.tif 000006
【図５】
2006038345.tif 000007